(57)【要約】【課題】繰り返し利用可能な業務用の箸を多量に収納保管できると共に、利用客によって衛生的に一膳毎の箸をワンタッチ操作で容易に取り出しできるようにする。【解決手段】筐体１に、多数の箸Ｈを収納する箸収納部２から落下供給する箸Ｈを整列すべく前方への下り勾配に形成し、上方から順次に整列して供給する箸Ｈを止めている堰部３を上面に設けた箸整列供給部４を設ける。筐体１内で上方に弾発付勢して且つ上下動可能となるよう筐体１の前面に設けた箸取出レバー５と、箸取出レバー５の押下げによって箸整列供給部４の下方で揺動し、箸整列供給部４の上面で止めている一膳分の箸Ｈを箸整列供給部４の上方に持ち上げ、堰部３を乗り越えて箸整列供給部４の下部に落下可能とした箸供給アーム６と、箸整列供給部４の下部に連繋して筐体１の前面下部に設けた供給部７とを具備する。【選択図】図８
2018064681.tif 000002
【特許請求の範囲】
【請求項１】
多数の箸を収納しておいた筐体内から一膳毎の箸を取出し供給するようにしてなる箸供給装置において、筐体には、多数の箸を収納する箸収納部と、この箸収納部から落下供給される箸を整列させるよう前方への下り勾配に形成されていて、上方から順次に整列されて供給される箸を止めている堰部が上面に設けられている箸整列供給部と、上方に弾発付勢されて上下動可能となるよう筐体の前面に設けた箸取出レバーと、この箸取出レバーの押下げによって前記箸整列供給部の下方で揺動され、箸整列供給部上で止められている一膳分の箸を箸整列供給部の上方に持ち上げ、堰部を乗り越えさせて箸整列供給部の下部に落下させる箸供給アームと、箸整列供給部の下部に連繋されて筐体の前面下部に設けられた供給部とを設けたことを特徴とする箸供給装置。
【請求項２】
箸収納部には、収納した箸を受け止めて下方の箸整列供給部側に導出させるよう後方への下り勾配に形成された後傾ガイド板を備える請求項１に記載の箸供給装置。
【請求項３】
箸整列供給部は、前方への下り勾配で配装された箸整列供給板と、この箸整列供給板の上方をカバーして箸整列供給板との間隔を一本の箸の太さに対応させて順次整列させる箸整列板とが設けられてなる請求項１または２に記載の箸供給装置。
【請求項４】
箸整列供給部は、箸整列供給板の略中間に突上用開口部を有し、前記堰部は突上用開口部の位置にて箸を係止可能とするよう突上用開口部の側方位置の箸整列供給板の上面に立設され、前記箸供給アームは一端に押下操作アーム片、他端に押上操作アーム片を有して箸整列供給板の前部下方に揺動自在に配置されていて、前記箸取出レバーの押下操作によって押下操作アーム片が下方に押されて押上操作アーム片の先端に形成された突上操作部が突上用開口部を経て箸整列供給板の上面にある一膳分の箸を箸整列供給板の上方に持ち上げ、堰部を乗り越えさせるものとしてある請求項３に記載の箸供給装置。
【請求項５】
箸取出レバーは、この箸取出レバーの押下げに伴い箸収納部を揺動させる揺動操作アームを設けてなる請求項１乃至４のいずれかに記載の箸供給装置。
【請求項６】
供給部は前記箸取出レバーの上下動に伴って開閉可能とし、筐体の下部には供給部に連繋した箸取出用ストッパが設けられてなる請求項１乃至５のいずれかに記載の箸供給装置。
【請求項７】
箸取出用ストッパは、その前端から筐体の内方に向けて切欠いた手指挿入部が設けられ、この手指挿入部を通して一膳の箸を手指で摘み上げ可能としてある請求項６に記載の箸供給装置。
【請求項８】
箸収納部の上部開口には、箸整列投入用ホッパが脱着可能に取り付けられ、この箸整列投入用ホッパの底壁部には箸における太幅な持ち手部と細幅な箸先との外形状に対応した平面で細幅な台形状の箸整列用投入孔が開口形成されてなる請求項１乃至７のいずれかに記載の箸供給装置。
【請求項９】
箸収納部あるいは箸整列投入用ホッパの上部開口には、矩形トレー状の蓋が脱着可能に取り付けられ、その上には、小皿・楊枝入れ・調味料容器・ナプキン等の飲食店用消耗品を載置可能としてなる請求項１乃至８のいずれかに記載の箸供給装置。
【請求項１０】
箸収納部の上部開口には、箸補充カセットが脱着可能に取り付けられ、この箸補充カセットは、横置き状態の多数の箸を積み重ね状で収納可能とするボックス状に形成されていて、上壁部には、箸における太幅な持ち手部と細幅な箸先との外形状に対応した平面で細幅な台形状の箸整列用投入孔を開口形成し、底壁部には、この底壁部を開閉するスライド自在な開閉板とを設けてなる請求項１乃至７のいずれかに記載の箸供給装置。
【請求項１１】
箸補充カセットの開口縁には、筐体の上部開口縁との相互間で、定位置であるときに嵌まり合う位置決め規制手段を設けてなる請求項１０に記載の箸供給装置。
【請求項１２】
箸補充カセットは、その上壁部にトレー状の蓋を脱着可能に取り付けてなる請求項１０または１１に記載の箸供給装置。
【請求項１３】
筐体における箸収納部の上部開口には、箸整列投入用カセットが脱着可能に取り付けられ、この箸整列投入用カセットは、蓋によって施蓋可能で、横置き状態の多数の箸を積み重ね状で収納可能とするボックス状に形成されていて、底壁部には、箸における太幅な持ち手部と細幅な箸先との外形状に対応した平面で細幅な台形状の箸整列用投入孔と、引き出し方向にスライドさせることによって箸整列用投入孔を開閉可能とした開閉板とを設けてなる請求項１乃至９のいずれかに記載の箸供給装置。
【請求項１４】
箸整列投入用カセットの開口縁には、筐体の上部開口縁との相互間で、定位置であるときに嵌まり合う位置決め規制手段を設けてなる請求項１３に記載の箸供給装置。
【請求項１５】
箸収納部の上部開口には、スライド開閉式の箸供給保管用カセットを脱着可能にして取り付けられ、この箸供給保管用カセットは、横置き状態の多数の箸を積み重ね状で収納可能とする開口ボックス状に形成されていて、開口には、この開口を開閉するスライド自在な開閉板を設けてなる請求項１乃至９のいずれかに記載の箸供給装置。
【請求項１６】
箸補充カセットあるいは箸整列投入用カセットの上部開口には、スライド開閉式の箸供給保管用カセットを脱着可能にして取り付けられ、この箸供給保管用カセットは、横置き状態の多数の箸を積み重ね状で収納可能とする開口ボックス状に形成されていて、開口には、この開口を開閉するスライド自在な開閉板を設けてなる請求項１０乃至１５のいずれかに記載の箸供給装置。
【発明の詳細な説明】
【技術分野】
【０００１】
本発明は、例えばレストランや飲食店等で使用される繰り返し利用可能な箸を多数で収納保管すると共に、利用客によって衛生的に一膳毎で箸を取り出すことのできる箸供給装置に関する。
【背景技術】
【０００２】
一般に飲食店で使われている箸箱は、多数の箸を纏めて差し込めるようにした縦型の筒構造としてあるか、または多数の箸を横に並べて収納蓋の付いた横型の箸置構造と収納してあるか等による箸収納構造のものが主流である。このような箸収納構造であると、箸を取る際、必要以上に他の箸を触ってしまいことがあり、次に利用する者にとっては不衛生と感じさせることがあり、また、前者の場合はそのまま露出されていることで例えば飲食店内での塵埃、くしゃみによる飛沫、タバコの煙等で汚染される虞がある。
【０００３】
そこで、従来においては、例えば、特許文献１に開示されているように、底板最下部に開口を有する箱体で多数の箸を収納するストッカーと、ストッカーから１本だけの箸を嵌め込む受溝を周面に設けたローラーとから構成され、ストッカーの開口から受溝を覗かせた基準姿勢で、逆方向に付勢させたローラーをストッカーに軸着して、ローラーを取出姿勢まで正方向に回動させることにより、受溝に嵌まり込んだ箸を１本ずつ落下させて取り出せるようにした箸供給装置が提案されている。
【０００４】
また、特許文献２に開示されているように、蓋を開き箸収納槽に箸を入れ、箸収納槽の下側開口部から回転コマに設けた箸溝に一膳の箸を落下させ、そこで回転コマに設けたツマミを回し、底板に設けた箸受けに箸溝の一膳の箸を転がし置くものとした箸供給箱が提案されている。
【先行技術文献】
【特許文献】
【０００５】
【特許文献１】特開２０１０−２６４１６７号公報
【特許文献２】特開２０１６−３６７００号公報
【発明の概要】
【発明が解決しようとする課題】
【０００６】
しかしながら、上記した特許文献１および特許文献２による場合では、いずれもいわばドラム式なので、箸を１本あるいは一膳毎に供給できることがあっても、連続して使用している内に、その溝の開口部が回りの箸と噛み合い、動かなくなる虞がある。また、噛み合いを防止するための部材を設けるとしても、複雑になるばかりでなく故障の原因ともなるのであり、箸の安定した連続供給は殆ど困難である。
【０００７】
そこで本発明は叙上のような従来存した諸事情に鑑み創出されたもので、その目的は、例えばレストランや飲食店等で使用される繰り返し利用可能な業務用の箸を衛生的に多数で収納保管できるようにすると共に、利用客のワンタッチ操作により、収納した多数の箸から一膳毎に区切って利用客に供給することができ、しかも連続的に操作しても多数収納してある箸から一膳毎に確実に安定して取り出しできるようにした箸供給装置を提供することにある。
【課題を解決するための手段】
【０００８】
上述した課題を解決するため、本発明にあっては、後述する発明を実施するための形態における使用符号を付記して説明すると、多数の箸Ｈを収納しておいた筐体１内から一膳毎の箸Ｈを取出し供給するようにしてなる箸供給装置において、筐体１には、多数の箸Ｈを収納する箸収納部２と、この箸収納部２から落下供給される箸Ｈを整列させるよう前方への下り勾配に形成されていて、上方から順次に整列されて供給される箸Ｈを止めている堰部３が上面に設けられている箸整列供給部４と、上方に弾発付勢されて上下動可能となるよう筐体１の前面に設けた箸取出レバー５と、この箸取出レバー５の押下げによって前記箸整列供給部４の下方で揺動され、箸整列供給部４上で止められている一膳分の箸Ｈを箸整列供給部４の上方に持ち上げ、堰部３を乗り越えさせて箸整列供給部４の下部に落下させる箸供給アーム６と、箸整列供給部４の下部に連繋されて筐体１の前面下部に設けられた供給部７とを設けたことを特徴とする。
箸収納部２には、収納した箸Ｈを受け止めて下方の箸整列供給部４側に導出させるよう後方への下り勾配に形成された後傾ガイド板８を備えるものとすることができる。
箸整列供給部４は、前方への下り勾配で配装された箸整列供給板４ｄと、この箸整列供給板４ｄの上方をカバーして箸整列供給板４ｄとの間隔を一本の箸Ｈの太さに対応させて順次整列させる箸整列板９とが設けられてなるものとすることができる。
また、箸整列供給部４は、箸整列供給板４ｄの略中間に突上用開口部１０を有し、前記堰部３は突上用開口部１０の位置にて箸Ｈを係止可能とするよう突上用開口部１０の側方位置の箸整列供給板４ｄの上面に立設され、前記箸供給アーム６は一端に押下操作アーム片６ａ、他端に押上操作アーム片６ｂを有して箸整列供給板４ｄの前部下方に揺動自在に配置されていて、前記箸取出レバー５の押下操作によって押下操作アーム片６ａが下方に押されて押上操作アーム片６ｂの先端に形成された突上操作部６ｃが突上用開口部１０を経て箸整列供給板４ｄの上面にある一膳分の箸Ｈを箸整列供給板４ｄの上方に持ち上げ、堰部３を乗り越えさせるものとすることができる。
箸取出レバー５は、この箸取出レバー５の押下げに伴い箸収納部２、例えばその後傾ガイド板８を揺動させる揺動操作アーム５ｂを設けてなるものとすることができる。
供給部７は前記箸取出レバー５の上下動に伴って開閉可能とし、筐体１の下部には供給部７に連繋した箸取出用ストッパ１１が設けられてなるものとすることができる。
箸取出用ストッパ１１は、その前端から筐体１の内方に向けて切欠いた手指挿入部１２が設けられ、この手指挿入部１２を通して一膳の箸Ｈを手指で摘み上げ可能としてあるものとすることができる。
箸収納部２の上部開口には、箸整列投入用ホッパ２０が脱着可能に取り付けられ、この箸整列投入用ホッパ２０の底壁部には箸Ｈにおける太幅な持ち手部と細幅な箸先との外形状に対応した平面で細幅な台形状の箸整列用投入孔２１が開口形成されてなるものとすることができる。
箸収納部２あるいは箸整列投入用ホッパ２０の上部開口には、トレー状の蓋１９が脱着可能に取り付けられ、その上には、小皿・楊枝入れ・調味料容器・ナプキン等の飲食店用消耗品Ｑを載置可能としてなるものとすることができる。
箸収納部２の上部開口には、箸補充カセット３０が脱着可能に取り付けられ、この箸補充カセット３０は、横置き状態の多数の箸Ｈを積み重ね状で収納可能とするボックス状に形成されていて、上壁部には、箸Ｈにおける太幅な持ち手部と細幅な箸先との外形状に対応した平面で細幅な台形状の箸整列用投入孔３１を開口形成し、底壁部には、この底壁部を開閉するスライド自在な開閉板３２を設けてなるものとすることができる。
箸補充カセット３０は、その上壁部にトレー状の蓋１９を脱着可能に取り付けられてなるものとすることができる。
筐体１における箸収納部２の上部開口には、箸整列投入用カセット４０が脱着可能に取り付けられ、この箸整列投入用カセット４０は、蓋４１によって施蓋可能で、横置き状態の多数の箸Ｈを積み重ね状で収納可能とするボックス状に形成されていて、底壁部には、箸Ｈにおける太幅な持ち手部と細幅な箸先との外形状に対応した平面で細幅な台形状の箸整列用投入孔４２と、引き出し方向にスライドさせることによって箸整列用投入孔４２を開閉可能とした開閉板４３とを設けてなるものとすることができる。
箸収納部２あるいは箸整列投入用ホッパ２０の上部開口には、スライド開閉式の箸供給保管用カセット５０を脱着可能にして取り付けられ、この箸供給保管用カセット５０は、横置き状態の多数の箸Ｈを積み重ね状で収納可能とする開口ボックス状に形成されていて、開口には、この開口を開閉するスライド自在な開閉板５１を設けてなるものとすることができる。
箸整列投入用ホッパ２０、箸補充カセット３０、箸整列投入用カセット４０あるいは箸供給保管用カセット５０の底壁部、開口縁には、これら２０，３０，４０，５０が装着される筐体１、箸整列投入用ホッパ２０、箸補充カセット３０あるいは箸整列投入用カセット４０の上部開口縁との相互間で、定位置であるときに嵌まり合う位置決め規制手段３６を設けてなるものとすることができる。
【０００９】
以上のように構成された本発明に係る箸供給装置にあって、筐体１の箸整列供給部４は、箸収納部２における後傾ガイド板８から供給されて堰部３によって止められている多数の箸Ｈを一列に整列させる。
筐体１の内部の箸供給アーム６は、箸取出レバー５の押下操作によって、押上操作アーム片６ｂの突上操作部６ｃを箸整列供給部４の突上用開口部１０を経て上方に突出させ、堰部３によって係止されている一膳の箸Ｈを突き上げて堰部３を乗り越えさせ、箸整列供給部４の下部に落下させる。
このとき、筐体１の下部の供給部７は箸取出レバー５の上下動に伴って開閉し、箸取出レバー５の押下位置にて供給部７はいったん塞がれて一膳の箸Ｈは筐体１の内側に係止させられる。一方、箸取出レバー５の押下操作を解放させると、弾発付勢に任せて箸取出レバー５が上昇復帰され、この上昇復帰によって供給部７が開放させられ、供給部７を経て箸取出用ストッパ１１の位置まで一膳の箸Ｈを排出させ、当該箸取出用ストッパ１１から一膳の箸Ｈを取り出し可能にさせる。
また、箸取出レバ―５の押下げは、揺動操作アーム５ｂによって箸収納部２を揺動させ、箸収納部２に収納保持されている多数の箸Ｈを揺らして箸整列供給部４への箸Ｈの導出を円滑にさせる。
箸整列供給部４における箸整列供給板４ｄとの間隔を一本の箸Ｈの太さに対応させた箸整列板９は、箸収納部２から箸Ｈが箸整列供給部４側に導出された際に、箸Ｈを箸整列供給板４ｄの上面で一列となってスライドさせるように案内させ、箸Ｈが堰部３を乗り越えてしまうのを防止させる。
箸取出用ストッパ１１の手指挿入部１２は、手指による一膳の箸Ｈの摘み取りを容易にさせる。
箸収納部２の上部開口に取り付けられた箸整列投入用ホッパ２０は、その底壁部に箸Ｈの外形状に対応した平面で細幅な台形状の箸整列用投入孔２１が開口形成されていることから、筐体１の内部の箸整列供給部４に落下して送り込まれる箸Ｈの持ち手部と箸先とが触れないよう箸Ｈの向きを一方向に統一させる。
箸整列投入用ホッパ２０の上部開口を閉蓋させるトレー状の蓋１９は、その上に小皿・楊枝入れ・調味料容器・ナプキン等の飲食店用消耗品Ｑを載置可能させる。
ボックス状の箸補充カセット３０は、その上壁部における箸整列用投入孔３１を経て投入させることで箸Ｈの箸先等の向きを揃えた状態で収納保管させ、底壁部によって筐体１の箸収納部２に装着した後の開閉板３２の引き出しスライドによって、箸補充カセット３０を開放させて箸収納部２の内部に迅速に箸Ｈを供給落下させる。
また、箸補充カセット３０は、投入させた多数の箸Ｈを保管収納した状態で、例えは゛を多段的に積み重ね状にして用意させておき、蓋１９によって上壁部を閉塞することで外部と遮断した状態で衛生的に収納保管させ、例えば事前に別の場所にて保管用意することで顧客への箸Ｈの供給提供に備えて待機可能にさせる。
箸整列投入用カセット４０は、底壁部が開閉板４３によって閉塞された状態で箸Ｈを多数にして投入収納し、蓋４１で施蓋することで箸Ｈを衛生的に保管させる。そして、筐体１の箸収納部２の上部開口に装着し、開閉板４３を引出すことで底壁部が開放されて箸整列用投入孔４２から箸Ｈを筐体１の箸収納部２の内部に落下供給させる。
箸供給保管用カセット５０は、箸Ｈの投入収納後で開口が開閉板５１によって閉鎖されている状態で、多数の箸Ｈを積層状に保管収納させる。そして、例えば箸整列投入用ホッパ２０、箸収納部２の上部開口に装着され、開閉板５１の引出しスライドによって開放させることで、収納されている箸Ｈの全てを略同時に箸整列投入用ホッパ２０、箸収納部２の内部に落下供給させる。なお、この箸供給保管用カセット５０は、箸Ｈの供給後には箸整列投入用ホッパ２０あるいは筐体１の上部開口から取り外されたり、そのまま据え置かれたりされる。
【発明の効果】
【００１０】
本発明は以上説明したように構成されているため、例えばレストランや飲食店等でテーブル・カウンター等の顧客席に載置されることで、顧客等によって使用される繰り返し利用可能ないわゆる業務用の箸Ｈを外気その他の外部とは遮断した状態で衛生的に多数で収納保持しておくことかできる。そして、例えば利用客自身の箸取出レバー５に対するワンタッチ操作により、収納してある多数の箸Ｈの中から一膳毎に区切って利用客に供給することができ、しかも連続的に操作しても多数収納してある箸Ｈから一膳毎に確実に安定して取り出すことができる。
【００１１】
すなわちこれは本発明が、筐体１は、多数の箸Ｈを収納する箸収納部２から落下供給される箸Ｈを整列させ、上方から順次に整列されて供給される箸Ｈを止めている堰部３が設けられている箸整列供給部４と、上方に弾発付勢されて上下動可能となるよう筐体１の前面に設けた箸取出レバー５の押下げによって、箸整列供給部４で止められている一膳分の箸Ｈを箸整列供給部４の上方に持ち上げ、堰部３を乗り越えさせて箸整列供給部４の下部に落下させる箸供給アーム６と、筐体１の前面下部に設けられた供給部７とを備えたからである。これによって、箸取出レバー５の押下・解放操作でもって、収納された多数の箸Ｈの中から一膳毎に区切られた箸Ｈが筐体１の内部から供給部７まで落下されるものとなり、一膳分毎の箸Ｈを衛生的に利用客に供給することができる。
【００１２】
箸収納部２には、収納した箸Ｈを受け止めて下方の箸整列供給部４側に導出させるよう後方への下り勾配に形成された後傾ガイド板８を備えているから、筐体１の内部に投入された多数の箸Ｈを後傾ガイド板８上で一時的に保管収納でき、筐体１の後方側に箸Ｈを落下させるように案内させ、箸整列供給部４側に多数の箸Ｈを円滑に逐次導出させることができる。
【００１３】
箸整列供給部４は、前方への下り勾配で配装された箸整列供給板４ｄと、箸収納部２の下方で、箸収納部２の後端から下方に向けて折返されて箸整列供給板４ｄの上方をカバーして箸整列供給板４ｄとの間隔を一本の箸Ｈの太さに対応させて順次整列させる箸整列板９とが設けられてなるので、箸Ｈを箸整列供給板４ｄの上面に一列となって横滑りさせるようにスライド状に案内させることができる。これにより箸収納部２における後傾ガイド板８から箸整列供給部４側に導出されるときの箸Ｈ同士が積み重なることで箸Ｈが堰部３を乗り越えてしまうのを防止することができ、堰部３の位置を先頭部分として箸Ｈを整列させることができる。
【００１４】
また、箸整列供給部４は、箸整列供給板４ｄの略中間に突上用開口部１０を有し、前記堰部３は突上用開口部１０の位置にて箸Ｈを係止可能とするよう突上用開口部１０の側方位置の箸整列供給板４ｄの上面に立設され、前記箸供給アーム６は一端に押下操作アーム片６ａ、他端に押上操作アーム片６ｂを有して箸整列供給板４ｄの前部下方に揺動自在に配置されていて、前記箸取出レバー５の押下操作によって押下操作アーム片６ａが下方に押されて押上操作アーム片６ｂの先端に形成された突上操作部６ｃが突上用開口部１０を経て箸整列供給板４ｄの上面にある一膳分の箸Ｈを箸整列供給板４ｄの上方に持ち上げ、堰部３を乗り越えさせるものとしてある。このため、箸供給アーム６の突上操作部６ｃが箸整列供給板４ｄに穿設された突上用開口部１０を経て上方に突出させられるから、堰部３によって係止されている一膳の箸Ｈを、この一膳の箸Ｈの上方で整列待機している多数の箸Ｈから確実に分離させて突き上げ、箸取出レバー５の押下操作毎に一膳分の箸Ｈのみを押下操作を連続させても安定的に供給することができる。
【００１５】
上下動される箸取出レバー５には、箸収納部２を揺動させる揺動操作アーム５ｂを設けてなるから、この箸取出レバー５の押下げに伴い箸収納部２の後傾ガイド板８を揺動させ、例えば箸収納部２に収納保持されている箸Ｈが積み重ね状になっていても、これらを揺らして箸整列供給部４に箸Ｈを円滑に導出させることができる。
【００１６】
供給部７は前記箸取出レバー５の上下動に伴って開閉可能とし、筐体１の下部には供給部７に連繋した箸取出用ストッパ１１が設けられてなるので、箸取出レバー５の押下位置にて供給部７は塞がれて一膳の箸Ｈを筐体１の内側にいったん係止させ、箸取出レバー５の押下操作の解放により弾発付勢に任せて箸取出レバー５が上昇復帰され、この上昇復帰によって供給部７を開放させて当該供給部７を経て箸取出用ストッパ１１の位置まで一膳の箸Ｈを排出させる。そのため、箸取出レバー５の連続的な押下操作が繰り返されても箸取出用ストッパ１１から一膳毎の箸Ｈを確実に利用客に供給することができる。
【００１７】
箸取出用ストッパ１１は、その前端から筐体１の内方に向けて切欠いた手指挿入部１２が設けられ、この手指挿入部１２を通して一膳の箸Ｈを手指で摘み上げ可能としてあるので、箸取出用ストッパ１１から利用者自身の手指で一膳の箸Ｈを汚さずに容易に衛生的に摘み取ることができる。
【００１８】
箸収納部２の上部開口には、箸整列投入用ホッパ２０が脱着可能に取り付けられ、この箸整列投入用ホッパ２０の底壁部には箸Ｈにおける太幅な持ち手部と細幅な箸先との外形状に対応した平面で細幅な台形状の箸整列用投入孔２１が開口形成されてなるので、箸Ｈの持ち手部と箸先とが直接に触れないよう向きを一方向に揃えて統一させた状態で、筐体１の箸整列供給部４の内部に落下供給させることができ、これによって、最終的には供給部７の箸取出用ストッパ１１から一膳の箸Ｈを互いの向きを違わずに衛生的に摘み取ることができる。
【００１９】
箸収納部２あるいは箸整列投入用ホッパ２０の上部開口には、トレー状の蓋１９が脱着可能に取り付けられ、その上には、小皿・楊枝入れ・調味料容器・ナプキン等の飲食店用消耗品Ｑを載置可能となしてある。これによって、蓋１９による箸整列投入用ホッパ２０の上部開口を常時閉じておくことで、外部とは遮断した状態で内部の箸Ｈの清潔さを保つことができる。また、このトレー状の蓋１９は、その上に例えば小皿・楊枝入れ容器・調味料容器・ナプキン入れボックス等の飲食店用消耗品Ｑの他にメニューや食品広告物等を載置する等の設置スペースとして有効利用することができる。
【００２０】
箸収納部２の上部開口には、箸補充カセット３０が脱着可能に取り付けられ、この箸補充カセット３０は、横置き状態の多数の箸Ｈを積み重ね状で収納可能とするボックス状に形成されていて、上壁部には、箸Ｈにおける太幅な持ち手部と細幅な箸先との外形状に対応した平面で細幅な台形状の箸整列用投入孔３１を開口形成し、底壁部には、この底壁部を開閉するスライド自在な開閉板３３を設けてなることで、この箸補充カセット３０によって多数の箸Ｈの保管、筐体1内への補充供給の迅速化を図ることができる。
【００２１】
すなわち、この箸補充カセット３０における上壁部の箸整列用投入孔３１を経ることで多数の箸Ｈの箸先を揃えた向きを統一させて箸補充カセット３０内に投入収納でき、また、底壁部によって例えば箸収納部２の上部開口に装着セットして開閉板３３を引き出しスライドさせることで、箸収納部２の内部に向きが揃えられた多数の箸Ｈを迅速に供給することができる。また、底壁部が開閉板３３によって閉鎖されている箸補充カセット３０内に箸Ｈの投入収納後、例えば蓋１９によって上壁部を閉塞することで収納した箸Ｈは外部と遮断され、例えば洗浄、消毒、殺菌後であればそれらを維持したままで衛生的に保持できる。
【００２２】
なお、箸収納部２の内部への箸補充カセット３０による箸Ｈの供給後では、この箸補充カセット３０をそのまま据え置きしても良く、また、その後に箸収納部２に箸Ｈがなくなった場合には、空になっている箸補充カセット３０を箸Ｈが満杯状態に保管収納されている新しい箸補充カセット３０と交換し、同様に操作、作業することで箸収納部２に多数の箸Ｈを迅速に供給投入することができる。
【００２３】
しかも、この箸補充カセット３０は、多数の箸Ｈを保持したままで別の場所にて保管できるから、箸収納部２内で箸Ｈが費消されてなくなった場合でも、箸収納部２に装着し、引き出し操作することで迅速に供給補充でき、顧客に迷惑を掛けることも少なくなるから、例えば飲食店における繁忙時には特に便利なものである。このようにして、予め多数の箸Ｈを収納保管したカセットとして多数で例えば多段的に積み重ねて保管用意しておくこともでき、そのため保管時の箸Ｈの汚損が防止され、清潔な箸Ｈを常時衛生的に保管することができ、しかも、箸収納部２に箸Ｈがなくなったときに、迅速に供給投入することができる。
【００２４】
また、箸補充カセット３０の底壁部、筐体１の上部開口縁相互間には位置決め規制手段３６を設けてあるので、箸補充カセット３０の向きを常時一定したものとして筐体１に装着でき、筐体１の箸収納部２への供給に際し、箸Ｈの向きが対応合致して揃えられていることが無理なく実現でき、一膳毎の箸Ｈの供給を安定して作動させるのにも役立つ。
【００２５】
あるいは、箸収納部２に箸整列投入用カセット４０が脱着可能に取り付けられていることで、この箸整列投入用カセット４０の内部に収納した多数の箸Ｈを開閉板４３の開放と共に箸整列用投入孔４２を経て、箸収納部２の内部に供給投入できるのであり、蓋４１、開閉板４３の閉塞によって多数の箸Ｈを外部と遮断状態を保持して衛生的に保管しておくことができる。また、蓋４１の開閉で箸Ｈを投入収納できると共に、開放によって内部を清掃することも可能であり、清潔にした衛生状態を保つこともできる。
【００２６】
箸収納部２あるいは箸整列投入用ホッパ２０の上部開口に脱着可能にして取り付けられるスライド開閉式の箸供給保管用カセット５０は、横置き状態の多数の箸Ｈを積み重ね状で収納可能とする開口ボックス状に形成されていて、開口には、この開口を開閉するスライド自在な開閉板５１を設けてなるので、開閉板５１の開閉によって、多数の箸Ｈの収納保管、箸収納部２への迅速な箸Ｈの投入供給を可能にすることができる。
【００２７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００２８】
【図１】本発明を実施するための一形態を示し、箸整列投入用カセットが装着された場合の斜視図である。
【図２】同じく箸整列投入用カセットに箸を整列投入するときの斜視図である。
【図３】同じく箸整列投入用カセットの平面図である。
【図４】同じく箸整列投入用カセットにおける箸整列用投入孔に対する箸の挿通状態を示すもので、（ａ）は箸を整列させる正規の向きであるときの図３中Ｘ−Ｘ矢視部分の断面図、（ｂ）は同じく箸が正規の向きであるときの図３中Ｙ−Ｙ矢視部分の断面図、（ｃ）は箸が逆向きであるときの図３中Ｚ−Ｚ矢視部分の断面図である。
【図５】同じく筐体内を上方から視た横断平面図である。
【図６】同じく筐体内を前方から見た縦断正面図である。
【図７】同じく箸収納部に箸整列投入用カセットから箸が供給される状態の縦断側面図である。
【図８】同じく筐体から箸整列投入用カセットを取り外し、箸取出レバーの押下操作によって一膳の箸が突き上げられて供給部の内側に係止された状態の縦断側面図である。
【図９】同じく箸取出レバーの押下操作の解放に伴う押圧操作板の上昇復帰によって一膳の箸が供給部の供給部の箸取出用ストッパ上で取出可能にされた状態の縦断側面図である。
【図１０】同じく箸補充カセットが筐体上に装着されるときの一部切欠分解斜視図である。
【図１１】同じく箸補充カセットの使用例を説明するもので、その（ａ）は筐体の箸収納部に装着させるときの分解縦断側面図、（ｂ）は装着後に開閉板を引き出して箸を箸収納部の内部に投入収納させるときの縦断側面図である。
【図１２】同じく箸補充カセットに箸を事前に収納保管し、多段的に積み重ねて用意される場合の分解斜視図である。
【図１３】同じく箸整列投入用カセットの一例を示す縦断側面図である。
【図１４】同じく箸供給保管用カセットの一例を示し、その（ａ）は筐体の箸収納部あるいは箸整列投入用カセットに装着させるときの分解縦断側面図、（ｂ）は装着後に開閉板を引き出して箸収納部あるいは箸整列投入用カセットの内部に箸を投入収納させるときの縦断側面図、（ｃ）は箸供給保管用カセットに箸を収納保持させるときの分解斜視図である。
【発明を実施するための形態】
【００２９】
以下、図面を参照して本発明を実施するための一形態を説明すると、図において示される符号１は、例えば飲食店等の顧客席であるテーブル、カウンター等に載置される本発明に係る箸供給装置を構成する直方体ボックス状の筐体である。この筐体１は、顧客が利用するいわゆる業務用の箸Ｈを横置き状態で積み重ねて収納保持できるようにした箸収納部２が筐体１の上部に区画構成されていて、図示のように筐体１自体は、箸Ｈの長さに対応した横幅を有し、また例えば１日で利用される多数量にして積載状態で収納可能にした奥行きと高さとを有し、前後の側壁、左右の側壁を備えることで上部が開口されて形成されている。
【００３０】
なお、箸Ｈ自体は、例えば外形状が太幅な持ち手部と先端の細幅な摘み部分である箸先とが形成された所定の太さと長さとを有して、横断面が例えば六角形状もしくは円形状その他を呈しており、繰り返し利用可能な例えば合成樹脂にて成形されたいわゆる業務用のタイプのものとしてあり、繰り返しの使用に耐えるように例えば洗浄、殺菌、消毒後で収納保管可能にしている。
【００３１】
そして、この筐体１には、図１に示すように、筐体１の前側壁に形成されたレバー操作用窓５ａを経て筐体１手前に延出された箸取出レバー５を下方に押すことで、筐体１の前側壁下側に形成された供給部７から一膳毎の箸Ｈを取り出せるようにしている。
【００３２】
図１乃至図７において、筐体１における多数の箸Ｈを収納する箸収納部２の上部開口には、矩形箱型の箸整列投入用ホッパ２０が、その底壁部下方に突設されたホッパ側嵌合突起２０ａを内嵌合させることで脱着可能となして取り付けられるようにしてある。さらに箸整列投入用ホッパ２０の上部開口には、矩形トレー状の蓋１９が、その底部下面に突設された蓋側嵌合突起１９ａを箸整列投入用ホッパ２０の上部開口に内嵌合させることで脱着可能となるように取り付けられ、さらに蓋１９の上には、例えば小皿・楊枝入れ・調味料容器・ナプキン入れ等の各種の飲食店用消耗品Ｑを載置可能としてある。
【００３３】
図２、図７に示すように、箸整列投入用ホッパ２０の底壁部には、箸Ｈにおける太幅な持ち手部と細幅な箸先とを備えた箸Ｈの外形状に対応した平面で細幅な台形状の箸整列用投入孔２１が複数で互いに向きが同じものとなして開口形成されている（図示においては４個）。そして、蓋１９を開けて箸整列投入用ホッパ２０内に箸Ｈを投入することで、箸整列用投入孔２１を経て箸Ｈは一定の向きに揃えられた状態で筐体１内の箸収納部２に供給され、箸収納部２の内部に収納保持されるようになっている。
【００３４】
すなわち、一般的には箸Ｈが太幅な持ち手部と細幅な箸先とによって箸Ｈの長さ方向に沿って太さが異なる形状に形成されていることから、図３に示すように、箸整列投入用ホッパ２０における底壁部の箸整列用投入孔２１は、この長さ方向で太さが異なる箸Ｈの外形状に対応して、平面で細幅な台形状に開口形成されている。そして、顧客・利用者等によって使用されるときに取り出されるときに箸先が揃えられているように、箸Ｈの向きを整列させて、いわば正規の向きの状態でのみ、多数の箸Ｈを箸整列用投入孔２１に通すことで選別・整列して落下させるようにしている（図４（ａ）、図４（ｂ）参照）。この正規の向きの整列方向とは逆向きの状態で箸整列投入用ホッパ２０の内部に投入された箸Ｈは箸整列用投入孔２１に通すことはできず落下しないようにしてある（図４（ｃ）参照）。これによって多量の箸Ｈは互いに長手方向の向きである箸先が全て揃うよう統一された状態となって筐体１における箸収納部２に落下供給されるものとなる。なお、図示のように、本実施の形態においては、箸Ｈは筐体１の正面から見て右側が持ち手部となるように配置されるものとしてあるが、もとより、これを逆向きとすることも可能である。
【００３５】
また、箸収納部２には、収納した箸Ｈを受け止めて箸収納部２の下方に設けられている箸整列供給部４側に導出させるための後方への下り勾配に形成された後傾ガイド板８を有することで、上方が開口されている筐体１の上部で区画形成されており、例えば１日で使用される多数量の箸Ｈを収納保持できるようにしてある。後傾ガイド板８自体は、例えば図７に示すように、筐体１における前部側に設けてある揺動支軸８ａに支承されていることで後述する箸取出レバー５によって揺動されるようにしてある。揺動されることで例えば積み重ね状に収納保持されている後傾ガイド板８上の多数の箸Ｈを揺らし、後部側である箸整列供給部４への導出部分から箸Ｈが滞りなく落下されるようにしている。
【００３６】
図５乃至図７に示すように、箸整列供給部４は、後方から前方に向けて下り勾配となっている箸整列供給板４ｄを備え、この箸整列供給板４ｄにおける略中間位置に箸Ｈの長さよりも短い横長矩形状の突上用開口部１０を穿設し、突上用開口部１０の側方位置の上面には細長突起状の堰部３を左右で一対にして立設してあり、箸整列供給板４ｄの上面上で整列供給される多数の箸Ｈを堰部３によって係止させるものとしてある。なお、左右の堰部３は正面から見た箸整列供給板４ｄ上で右側が低い位置に、左側がやや高い位置に設定されていて、箸先が揃えられて２本で組み合わせられる並列された一膳分の箸Ｈが、その幅員の外形状に対応させた幅員となるようにして突上用開口部１０上で半ば傾斜状となって待機されるようにしている。
【００３７】
また、箸整列供給板４ｄの上方には、箸収納部２における後傾ガイド板８の下方に位置させることで、箸整列供給板４ｄの上方をカバーする箸整列板９が、例えば筐体１における左右の側壁相互間で横架固定されることで設けられている。箸整列板９と箸整列供給板４ｄとのカバー間隔は一本の箸Ｈの太さにほぼ対応しており、箸Ｈを箸整列供給板４ｄの上面に一列となって横滑り状にスライドさせて案内させるようにしている。これにより箸収納部２から箸整列供給部４側に導出されたときの箸Ｈ同士が上下に積み重なることで箸Ｈが堰部３を乗り越えてしまうのを防止してもいる。
【００３８】
箸整列供給板４ｄの前部下面には、左右一対のサイドプレート４ａ，４ｂが垂下されており、このサイドプレート４ａ，４ｂの間に横架された支軸４ｃに、押下操作アーム片６ａと押上操作アーム片６ｂとが側面から見て略逆向きへの字状に連結されてなる梃子アーム状の箸供給アーム６が揺動自在に軸支されている。また、押上操作アーム片６ｂの先端の上面左右対称位置には、一膳の箸Ｈの合計太さの幅員に対応した上部受面を有するプレート状の突上操作部６ｃが起立形成され、箸供給アーム６の支軸４ｃの廻りの揺動によって、突上操作部６ｃは前記突上用開口部１０を経て箸整列供給板４ｄ上に出没可能となるようにしてあって、一膳分の箸Ｈのみを突き上げるようにしている。なお、図中符号６ｅは、押上操作アーム片６ｂを下方復帰させる戻しバネである。
【００３９】
筐体１の前側壁内面の略中央には、図５乃至図７に示すように、当該前側壁内面に沿って上下方向でスライド可能とした押圧操作板１４が配されており、この押圧操作板１４の上端には例えばバネの如き弾発機能がある付勢部材１５の一端が締結部材１５ａで、付勢部材１５の他端が筐体１の前側壁の上部で固定されていることで、押圧操作板１４が前側壁内面の上下方向に沿ってスライドされるようにしてある。これにより押圧操作板１４は常に上方向に付勢部材１５によって弾発的に付勢された状態となっている。この押圧操作板１４が下方にスライドされたときには、前記箸整列供給板４ｄの後述する操作用スリット１７を貫挿して前記箸供給アーム６における押下操作アーム片６ａの先端に当接し、箸供給アーム６を揺動させるようにしていると共に、前記供給部７の開口部分を一時的に閉塞させるようにしている。
【００４０】
そして、同じく図５乃至図７に示すように、筐体１の前側壁内面には、その左右対称位置にアームプレート１６ａ，１６ｂが内方に向けて並設されており、このアームプレート１６ａ，１６ｂの間には、水平状に配される前記箸取出レバー５の後端側が支軸１６ｃによって揺動可能に枢着されている。箸取出レバー５は、その先端側が、前記押圧操作板１４に形成されている通孔１３に挿通保持され、さらに筐体１の前側壁の略中央に穿設されたレバー操作用窓５ａを貫挿して筐体１の手前に延出されている。こうすることで、この箸取出レバー５の押下げは、上方に弾発付勢されている押圧操作板１４の弾発作用に抗して強制的に行われ、箸取出レバー５に対する押下作用の解放は押圧操作板１４によって箸取出レバー５を上方位置に復帰させるものとしてある。
【００４１】
また、箸取出レバー５の後端側、すなわち支軸１６ｃ位置よりも後部には例えば略中央位置で揺動操作アーム５ｂが立脚状に固定されていて、この揺動操作アーム５ｂの後端縁は箸収納部２における前記後傾ガイド板８の下面に当接している。こうすることで、箸取出レバー５の先端部分が押し下げられると、後端側の揺動操作アーム５ｂが上方に揺動して箸収納部２における後傾ガイド板８も上方に持ち上げ揺動させ、箸整列供給部４への導出部分において箸Ｈを絡ませることなく、順次に導出供給させるものとしてある。
【００４２】
筐体１の前側壁下部には、箸整列供給板４ｄに沿って一膳の箸Ｈを筐体１の外側に排出するために、箸整列供給板４ｄに連繋すべく開口形成された前記した供給部７が設けられている。また、箸整列供給板４ｄの供給部７の内側に位置する箇所には、押圧操作板１４の横幅に対応した幅の操作用スリット１７が穿設されており、箸取出レバー５の押下操作によって押圧操作板１４が付勢部材１５の弾発付勢に抗して押下された際には、押圧操作板１４の下端が操作用スリット１７に貫挿されて前記箸供給アーム６の押下操作アーム片６ａに当接し、これを押下げて箸供給アーム６を揺動させるようにしている。
【００４３】
この供給部７には、箸整列供給部４における箸整列供給板４ｄに箸取出用ストッパ１１を連繋させて設けてあり、この箸取出用ストッパ１１は、箸整列供給板４ｄの下端から筐体１の前方へ突出する断面略Ｌ字状に形成されている。また、箸取出用ストッパ１１は、例えばそのほぼ中央部において前端から筐体１の内方に向けて略コ字状に切欠いた手指挿入部１２が設けられ、この手指挿入部１２を通して一膳の箸Ｈを手指で摘み上げ可能となるようにしてある。
【００４４】
次に、以上のように構成された実施の一形態についての使用の一例を図７乃至図９を参照して説明すると、先ず、例えば筐体１の上部開口に箸整列投入用ホッパ２０を予め装着しておき、蓋１９を開けて多数の箸Ｈを投入供給する。投入供給された多数の箸Ｈは、箸整列投入用ホッパ２０の箸整列用投入孔２１を経ることで互いに長手方向の向きの箸先が全て揃うよう統一した状態となって箸収納部２内に供給される（図７参照）。そして、箸収納部２に投入された多数の箸Ｈは後傾ガイド板８から下方の箸整列供給部４に導出され、この箸整列供給部４内で重なり合うことなく箸整列供給板４ｄ上の堰部３によって止められ、横滑りのスライド可能な状態で一列状に整列された状態で保持される。
【００４５】
なお、箸収納部２の内部に箸Ｈを落下供給後で空になった箸整列投入用ホッパ２０は、筐体１から取り外し、図８、図９に示されるように筐体１の上部開口を蓋１９によって閉め、筐体１をテーブル、カウンターその他の所定場所に置き、蓋１９の上には例えば小皿・楊枝入れ・調味料容器・ナプキン等の飲食店用消耗品Ｑ等を載置しておく（図１参照）。あるいは箸整列投入用ホッパ２０を筐体１上にそのまま装着しておいても良く、その場合には箸整列投入用ホッパ２０の上部開口を蓋１９によって閉め、同様に飲食店用消耗品Ｑ等を載置しておくと良い。
【００４６】
このようにして箸Ｈが収納準備された筐体１から箸Ｈを取り出す際には、図８に示すように、レバー操作用窓５ａから突き出ている箸取出レバー５を下方に押下げる。この押下操作に伴って揺動操作アーム５ｂが後傾ガイド板８を揺動させて、箸収納部２内の箸Ｈを揺らす。一方、押圧操作板１４が付勢部材１５による弾発付勢に抗して下降し、箸整列供給板４ｄにおける操作用スリット１７を貫挿して箸供給アーム６の押下操作アーム片６ａに下端が当接してこれを押下げる。これと同時に下降した押圧操作板１４によって供給部７はいったんは閉鎖される。
【００４７】
と同時に、押下操作アーム片６ａの押下げによって揺動する箸供給アーム６自体は、支軸６ｄの廻りに図８において反時計方向に揺動し、押上操作アーム片６ｂの突上操作部６ｃが突上用開口部１０を経て箸整列供給板４ｄの上方に突出させられる。これにより堰部３によって係止されている一膳分の箸Ｈが突き上げられて堰部３を乗り越えさせて箸整列供給板４ｄの前部に落下させ、落下されることで一膳の箸Ｈは供給部７を塞いでいる押圧操作板１４の下部内側に係止される。
【００４８】
次いで、箸取出レバー５の押下操作を解除すると、図９に示すように、付勢部材１５の弾発付勢に任せて押圧操作板１４が上昇復帰され、この上昇復帰によって供給部７が開放させられ、供給部７の箸取出用ストッパ１１の位置まで一膳の箸Ｈが横滑り状に落下供給される。こうして箸取出用ストッパ１１上から一膳の箸Ｈを取り出すことができる。このとき、箸供給アーム６は支軸６ｄの廻りに図８において時計方向に揺動復帰し、突上操作部６ｃは突上用開口部１０から下方に退避させられ、後続する箸Ｈが滑り落ちるようにスライドして堰部３によって整列状態の儘で係止される。以後は、箸取出レバー５の同じ操作手順で一膳ずつの箸Ｈを取り出すことができる。
【００４９】
図１０及び図１１には、箸整列投入用ホッパ２０の替わりに筐体１の上部開口に脱着可能に装着される箸補充カセット３０の一例が示されている。この箸補充カセット３０は、横置き状態の多数の箸Ｈを積み重ね状で収納可能とするボックス状に形成されていて、上壁部には、箸Ｈにおける太幅な持ち手部と細幅な箸先との外形状に対応した平面で細幅な台形状の箸整列用投入孔３１を開口形成し、底壁部には、この底壁部を開閉するスライド自在な開閉板３２を設けてなるものである。
【００５０】
すなわち図示のように、ボックス状の箸補充カセット３０自体の上壁部には、前記の箸整列投入用ホッパ２０における箸整列用投入孔２１と同様な箸整列用投入孔３１が例えば４列で開口形成されている。開閉板３２は、箸補充カセット３０自体の底壁部をも兼ねており、箸補充カセット３０自体の左右側壁の内側面に設けられたガイド溝３３によって外方への引き出し可能となるようスライド自在に嵌め合わせてあって、嵌め入れあるいは引き出し操作によって箸補充カセット３０自体の底壁部を開閉できるようにしている。
【００５１】
この箸補充カセット３０の上側壁の開口部分には、前記トレー状の蓋１９が脱着可能に取り付けられるようになっていて、箸補充カセット３０自体を閉塞し、また各種の飲食店用消耗品Ｑが載置可能にしてある。なお、図中符号３４は、開閉板３２に設けた取っ手であり、３０ａは箸収納部２の上部開口に内嵌合させたり、この箸補充カセット３０自体を多段的に積み重ねるときの相互間を嵌め合わせたりするカセット側嵌合突起である。
【００５２】
また、箸補充カセット３０自体の底壁部の開口縁には、筐体１における箸収納部２の上部開口縁との相互間で、定位置であるときに嵌まり合う位置決め規制手段３６を設けてある。図示にあっての位置決め規制手段３６は、箸整列用投入孔３１における幅広側の箸補充カセット３０自体の側壁、例えば筐体１に装着するときの右側壁下部における開口縁に突部を設け、同じく箸収納部２に供給される箸Ｈの持ち手部側が位置される筐体１の側壁、例えば右側壁における上部開口縁に、突部に嵌まり合う凹部を設けてなる。こうすることで、箸補充カセット３０自体は、筐体１に対して逆向きでは装着できなくなって、予め定められた整列方向に沿った正規の向きでしか装着できないために、箸Ｈの向きが揃えられて箸補充カセット３０内に投入保管された多数の箸Ｈは、持ち手部が例えば右側となって箸収納部２に投入される。
【００５３】
この箸補充カセット３０の使用の一例を説明すると、図１０に示されるように、底壁部を開閉板３２によって閉塞した状態で上壁部の箸整列用投入孔３１を経ることで多数の箸Ｈをその箸先を揃えた状態で箸補充カセット３０内に所定量で投入して、事前に用意しておく。そして、必要があればこの状態で例えば図１２に示すように複数で多段的に積み重ねて適当な保管場所で保管しておけば良く、積み重ねた最上位の箸補充カセット３０の上側壁を蓋１９等で閉塞しておくことで多数の箸Ｈを外部とは遮断した状態で保管することができる。そして、図１１（ａ）に示されるように、箸補充カセット３０を、その底側壁のカセット側嵌合突起３０ａによって箸収納部２の上部開口に装着し、図１１（ｂ）に示されるように、装着後に開閉板３３を引き出すことで開放された底側壁を経て所定量の箸Ｈを箸収納部２の内部に投入供給できる。なお、箸収納部２に供給することで空になった箸補充カセット３０は取り外して同様に事前に準備しておけるようにしても良く、また取り外し後の筐体１の上部開口には例えば前記蓋１９が施蓋されるようにする。
【００５４】
このような箸補充カセット３０を所定数で予め用意し、例えば洗浄、殺菌、消毒済みの多数の箸Ｈを収納保持した状態で事前に準備保管しておくことで、筐体１上に装着した箸補充カセット３０によって供給しておいた箸収納部２内の箸Ｈがなくなったとき、筐体１の蓋１９を取り外して装着セットして同様に操作すれば良く、またそのままで装着しておいた場合には空になっている箸補充カセット３０と交換して装着し、操作することによって箸収納部２に所定量の箸Ｈを迅速に補充供給できる。
【００５５】
図１３には、筐体１における箸収納部２の上部開口に箸整列投入用カセット４０が脱着可能に取り付けられる一例が示されている。この箸整列投入用カセット４０は、蓋４１によって施蓋可能なボックス状に形成されていて、底壁部には、箸Ｈにおける太幅な持ち手部と細幅な箸先との外形状に対応した平面で細幅な台形状の箸整列用投入孔４２と、引き出し方向にスライドさせることによって箸整列用投入孔４２を開閉可能とした開閉板４３とを設けてなるものである。
【００５６】
なお、図中符号４０ａはカセット側嵌合突起、４１ａは蓋側嵌合突起、４４はガイド溝、４６は取っ手である。
【００５７】
この箸整列投入用カセット４０は、前記の箸補充カセット３０とは、蓋４１によって開閉可能に構成したこと、底壁部の箸整列用投入孔４２を開閉板４３によって開閉可能にこうしたこと等の点で異なるのみで、他の構成及びその作用は箸補充カセット３０とは異ならないので詳細な説明は省略される。また、この箸整列投入用カセット４０にも、例えば箸補充カセット３０におけると同様な位置決め規制手段３６を設けることで、揃えられた箸Ｈの箸先等を箸収納部２における投入供給時の向きと常時、容易に対応させることができる。
【００５８】
図１４には、箸収納部２あるいは箸整列投入用ホッパ２０の上部開口に脱着自在に取り付けられるスライド開閉式の箸供給保管用カセット５０が示されている。この箸供給保管用カセット５０は、横置き状態の多数の箸Ｈを積み重ね状で収納可能とする開口ボックス状に形成されていて、開口には、この開口を開閉するスライド自在な開閉板５１を設けてなるものである。
【００５９】
なお、図中符号５０ａはカセット側嵌合突起、５２はガイド溝、５３は取っ手である。
【００６０】
この箸供給保管用カセット５０は、前記箸補充カセット３０における箸整列用投入孔３１を備えていない点が異なるのみで、他の構成及びその作用は箸補充カセット３０におけると異ならない。すなわち、図１４（ｃ）に示されるように、開口側を上方に向けた状態で開閉板５１を引き出すことで開放した箸供給保管用カセット５０自体の内部に多数の箸Ｈをその箸先を揃えた状態で所定量の箸Ｈを投入でき、その後に開閉板５１によって閉塞することで、投入収納した箸Ｈを外部とは遮断した状態で保管することができる。そして、図１４（ａ）に示されるように、箸供給保管用カセット５０を、その上下を反転させてカセット側嵌合突起５０ａによって箸収納部２あるいは箸整列投入用ホッパ２０の上部開口に装着し、図１４（ｂ）に示されるように、装着後に開閉板５１を引き出すことで所定量の箸Ｈを箸収納部２あるいは箸整列投入用ホッパ２０の内部に投入供給できる。
【００６１】
なお、この箸供給保管用カセット５０は、筐体１における箸収納部２の上部開口に直接に装着する場合には箸先を揃えた状態で予め多数量の箸Ｈが整列状態にして投入保管されていることが望ましい。その際、箸先を揃える向きをこの箸供給保管用カセット５０に表示しておくことも良く、また、そうすることで揃える方向と対応して筐体１における箸収納部２の上部開口に対する装着方向とが常に合致するように、例えば箸補充カセット３０におけると同様な位置決め規制手段３６を設けることも良い。
【符号の説明】
【００６２】
Ｈ…箸                                  Ｑ…飲食店用消耗品
１…筐体                                ２…箸収納部
３…堰部                                ４…箸整列供給部
４ａ，４ｂ…サイドプレート              ４ｃ…支軸
４ｄ…箸整列供給板                      ５…箸取出レバー
５ａ…レバー操作用窓                    ５ｂ…揺動操作アーム
６…箸供給アーム                        ６ａ…押下操作アーム片
６ｂ…押上操作アーム片                  ６ｃ…突上操作部
６ｄ…支軸                              ６ｅ…戻しバネ
７…供給部                              ８…後傾ガイド板
８ａ…揺動支軸                          ９…箸整列板
１０…突上用開口部                      １１…箸取出用ストッパ
１２…手指挿入部                        １３…通孔
１４…押圧操作板                        １５…付勢部材
１５ａ，１５ｂ…締結部材                １６ａ，１６ｂ…アームプレート
１６ｃ…支軸                            １７…操作用スリット
１９…蓋                                １９ａ…蓋側嵌合突起
２０…箸整列投入用ホッパ                ２０ａ…ホッパ側嵌合突起
２１…箸整列用投入孔
３０…箸補充カセット                    ３０ａ…カセット側嵌合突起
３１…箸整列用投入孔                    ３２…開閉板
３３…ガイド溝                          ３４…取っ手
３６…位置決め規制手段
４０…箸整列投入用カセット              ４０ａ…カセット側嵌合突起
４１…蓋                                ４１ａ…蓋側嵌合突起
４２…箸整列用投入孔                    ４３…開閉板
４４…ガイド溝                          ４５…取っ手
５０…箸供給保管用カセット              ５０ａ…カセット側嵌合突起
５１…開閉板                            ５２…ガイド溝
５３…取っ手
【図１】
2018064681.tif 000003
【図２】
2018064681.tif 000004
【図３】
2018064681.tif 000005
【図４】
2018064681.tif 000006
【図５】
2018064681.tif 000007
【図６】
2018064681.tif 000008
【図７】
2018064681.tif 000009
【図８】
2018064681.tif 000010
【図９】
2018064681.tif 000011
【図１０】
2018064681.tif 000012
【図１１】
2018064681.tif 000013
【図１２】
2018064681.tif 000014
【図１３】
2018064681.tif 000015
【図１４】
2018064681.tif 000016